(57)【要約】【課題】少ない消費電力で長期間継続的に香りを発生させることができる芳香器の提供。【解決手段】本体容器と蓋を有し、本体容器内には、少なくともファンモーター、電池収容部、及び芳香剤を浸み込ませた珪藻土からなる薄板を装着するための２段構造の受け皿が設けられ、蓋には、２段構造の受け皿の真上に相当する位置に、薄板から発生した香りを外部に放出するための開口部が設けられていることを特徴とする芳香器。【選択図】図１
0003169688.tif 000002
【実用新案登録請求の範囲】
【請求項１】
本体容器と蓋を有し、本体容器内には、少なくともファンモーター、電池収容部、及び芳香剤を浸み込ませた珪藻土からなる薄板を装着するための２段構造の受け皿が設けられ、蓋には、２段構造の受け皿の真上に相当する位置に、薄板から発生した香りを外部に放出するための開口部が設けられていることを特徴とする芳香器。
【考案の詳細な説明】
【技術分野】
【０００１】
本考案は、少ない消費電力で長期間継続的に香りを発生させることができる芳香器に関する。
【背景技術】
【０００２】
芳香を有する揮発性の香油などを用い、加熱などの手段で香りを発生させる方法や装置は広く知られている。
例えば特許文献１には、筒状の覆体の天井壁上に載せた粒状発香剤を、台板上に設置した熱源による熱で加熱して香気を発散させる発香器が開示されている。また、該発香剤として珪藻土粒子に香エキスを含浸させたものを用いることも記載されている。
しかし、熱源として蝋燭の炎や炭火を用いることが記載されているように、長期間継続的に香りを発生させることはできない。
また、特許文献２には、珪藻土板を香料に浸して吸着させ、通気性を有する紙パッケージに入れた靴用珪藻土プレートが開示されているが、芳香器に係る考案ではなく、本考案とは珪藻土板の使用態様が全く異なる。
このように、珪藻土を利用して香りを発生させることは公知であるが、本考案のように芳香器内に設けた小さなファンモーターを用いて風の力で香りを放出させるという技術思想は未だ知られていない。
【０００３】
【特許文献１】特開２００１−３２７５８８号公報
【特許文献２】実用新案登録第３１０４７４９号公報
【考案の概要】
【考案が解決しようとする課題】
【０００４】
本考案は、少ない消費電力で長期間継続的に香りを発生させることができる芳香器の提供を目的とする。
【課題を解決するための手段】
【０００５】
１）  本体容器と蓋を有し、本体容器内には、少なくともファンモーター、電池収容部、及び芳香剤を浸み込ませた珪藻土からなる薄板を装着するための２段構造の受け皿が設けられ、蓋には、２段構造の受け皿の真上に相当する位置に、薄板から発生した香りを外部に放出するための開口部が設けられていることを特徴とする芳香器。
【考案の効果】
【０００６】
本考案によれば、少ない消費電力で長期間継続的に香りを発生させることができる芳香器を提供できる。また、本体容器内に小さなファンモーターと２段構造の受け皿を設けた簡単な構造であるから製造が容易であるし、使用時にはファンを回すためのスイッチを入れるだけでよいので、非常に簡便に香りを発生させることができる。
【図面の簡単な説明】
【０００７】
【図１】実施例１の芳香器を示す図。（イ）平面図、（ロ）正面図、（ハ）左側面図
【図２】実施例１の芳香器の平面図中央横断面図。（イ）蓋を装着した状態、（ロ）蓋を外した状態
【考案を実施するための形態】
【０００８】
本考案の芳香器は本体容器と蓋を有する。本体容器の形状は、少なくともファンモーター、電池、及び芳香剤を浸み込ませた珪藻土からなる薄板を装着するための２段構造の受け皿を内蔵できるものであれば特に限定されない。本体容器の大きさは設置する場所に応じて適宜設計可能であるが、通常は縦７０〜８０ｍｍ、横１２５〜１３０ｍｍ、高さ７０〜８０ｍｍ程度とする。蓋の形状も、２段構造の受け皿の真上に相当する位置に薄板から発生した香りを外部に放出するための開口部を設ける点以外は特に限定はなく、本体容器に合わせて適宜設計すればよい。開口部の直径は通常３０ｍｍ程度とする。また、本体容器の底面の複数箇所に、高さ５〜１０ｍｍ程度の脚部を設けることが好ましい。
本体容器、蓋、脚部の材質は、通常の場合、ポリプロピレン樹脂、ＡＢＳ樹脂などのプラスチック製とするが、これらに限定されるわけではない。
【０００９】
本考案ではファンモーターを用いて風の力で香りを放出させる。ファンモーターとしては、小型で消費電力が少なく、更には音が小さいものが好ましく、例えば、日本電産コパル社製のＤＣファンモータＦ５５２１−０１が挙げられる。電池収容部は適宜設計すればよいが、通常は、単３乾電池が２本入るようにする。このようなファンモーターを用いると、単３乾電池２本で一ヶ月以上継続的に香りを放出させることができ、非常に経済的であるし、音も静かである。
【００１０】
芳香剤は薄板状の珪藻土に浸み込ませて用いる。通常は液状の芳香剤を用いるが、液状でない場合には水などの溶剤に溶かして用いればよい。そして、２段構造の受け皿に薄板を装着し、前記ファンモーターで薄板に風を送り、蓋の開口部から香りを徐々に放出させる。
薄板の形状は特に限定されないが、円盤状が好ましい。薄板の厚さは４〜６ｍｍ程度とする。芳香剤の量は、通常の場合、約５ｇの珪藻土に対して０．１〜０．２ｍＬ程度とする。薄板は破損しない限り取り換える必要はないが、芳香剤は時間の経過とともに減っていくので、香りが薄くなったと感じた場合には、適宜、薄板に芳香剤を補充すればよい。その際、上段の薄板には、そのまま芳香剤を滴下することができるが、下段の薄板に補充する場合には、蓋を開け上段の薄板を外して芳香剤を滴下する必要がある。
また、受け皿を２段構造にしてあるので、上段と下段とで異なる芳香剤の薄板を用いてブレンドした香りを楽しむこともできるし、片方の受け皿のみに薄板を装着して芳香の量を加減することもできる。
【００１１】
芳香剤としては、公知の種々のものを適宜使用すればよいが、例えば、イランイラン、カモマイル・ジャーマン／ブルー、カモマイル・ローマン、カユプテ、カルダモン、キャロットシード、クラリセージ、グレープフルーツ、コリアンダー、サイプレス、サンダルウッド、シダーウッド、シトロネラ、シナモンリーフ、ジャスミン・アブソリュート、ジュニパーベリー、ジンジャー、スイートオレンジ、スペアミント、セージ、ゼラニウム、ティートリー、ニアウリ、ネロリ、パインニードル、バジル、パチュリ、ハッカ、パルマローザ、ヒノキ、フェンネル、プチグレン、ブラックペッパー、フランキンセンス、べチバー、ペパーミント、ベルガモット、ベルガモット・ＦＣＦ、ベンゾイン、ホーリーフ、マジョーラムスイート、マンダリン、ミルラ、メイチャン、メリッサ、ユーカリ・グロブルス、ユーカリ・シトリオドラ、ユーカリ・ラディアータ、ユズ、ライム、ラバンサラ、ラバンディン・グロッソ、ラベンダー、レモン、レモングラス、ローズ・アブソリュート、ローズオットー、ローズマリーなどが挙げられる。
【実施例】
【００１２】
以下、実施例により本考案を更に具体的に説明するが、本考案はこの実施例により限定されるものではない。
【００１３】
実施例１
図１、図２に示す構造の芳香器を作製した。１は本体容器、２は蓋、３は開口部であり、ファンモータ収容部５、電池収容部６なども併せて、ポリプロピレン樹脂を用いて成型したものである。本体容器の大きさは、縦７６ｍｍ、横１２５ｍｍ、高さ７３ｍｍとし、脚部の高さは９ｍｍとした。開口部は直径３０ｍｍの円形とした。更に、上記本体容器１内に２段構造の受け皿を取り付け、上記ファンモータ収容部５内に、日本電産コパル社製のＤＣファンモータ−Ｆ５５２１−０１（図示せず）を取り付けた。
一方、珪藻土（サメジマコーポレーション社製の珪藻土プレート）からなる厚さ５ｍｍ、直径３０ｍｍの円盤状薄板（約５ｇ）に対し、芳香剤として、ヒノキ、ライム、ラベンダー、レモングラス、ローズマリーをそれぞれ０．１〜０．２ｍＬ浸み込ませて芳香発生用材料を用意した。
上記５種類の芳香剤を浸み込ませた薄板を、各種類ごとに２段構造の受け皿の上段及び下段に装着し、単３乾電池を２本用いてファンを連続作動させたところ、いずれの場合も、３０日間以上、継続して香りを発生させることができた（但し、芳香剤は途中で補充した。）。
【符号の説明】
【００１４】
１  本体容器
２  蓋
３  開口部
４  ２段構造の受け皿
５  ファンモータ収容部
６  電池収容部
７  電池
８  脚部
【図１】
0003169688.tif 000003
【図２】
0003169688.tif 000004